(57)【要約】【課題】従来のコイン振分け装置よりも低コストであるコイン振分け装置を有する遊技機を提供する。【解決手段】第１のコイン誘導路５５Ａはコイン投入口５１から前記コイン振分け装置へとコインを誘導する。第２のコイン誘導路は前記コイン振分け装置からホッパにコインを誘導する。第３のコイン誘導路は前記コイン振分け装置からコイン受け皿３０へとコインを誘導する。コイン振分け装置５７は、コインを第２のコイン誘導路へと誘導するための筒状部５７１を有している。電磁ソレノイド５９は、第２のコイン誘導路の開口部を閉鎖するように可動させる。筒状部５７１を、筒状部５７１における外壁面に沿ってコインを前記第３のコイン誘導路へ誘導する位置に配設した。【選択図】      図６
2004147882.tif 000002
【特許請求の範囲】
【請求項１】
筐体と、
前記筐体に設けられたコイン投入口と、
前記コイン投入口から投入されたコインを前記筐体内部に貯留するためのコイン貯留部と、
コインを貯留させない状況において前記コイン投入口に投入されたコインを遊技者に対して返還するためのコイン払出し口と、
前記コイン投入口から投入されたコインの落下先を、遊技機からの指示により前記コイン貯留部と前記コイン払出し口のどちらか一方へ振り分けるためのコイン振分け装置と、
前記コイン投入口から前記コイン振分け装置へと該コインを誘導するための第１のコイン誘導路と、
前記コイン振分け装置から前記コイン貯留部へと該コインを誘導するための第２のコイン誘導路と、
前記コイン振分け装置から前記コイン払出し口へと該コインを誘導するための第３のコイン誘導路と、を備える遊技機であって、
前記コイン振分け装置は、前記第１のコイン誘導路より落下してきたコインを前記第２のコイン誘導路へと誘導するための筒状部を有しており、該筒状部を、前記第２のコイン誘導路の開口部を閉鎖するように可動させる可動手段を有し、前記筒状部を、当該筒状部における外壁面に沿ってコインを前記第３のコイン誘導路へ誘導する位置に配設したことを特徴とする遊技機。
【請求項２】
前記コイン振分け装置は、その両側部に前記遊技機に装着するための持ち送り部を備えており、且つ、前記持ち送り部を回転軸として所定角度の範囲において回動自在となるように前記遊技機に備えられていることを特徴とする請求項１記載の遊技機。
【請求項３】
前記回転軸は前記第１のコイン誘導路より落下するコインの落下位置の略真下に位置することを特徴とする請求項２記載の遊技機。
【請求項４】
前記コイン振分け装置は、コインの振分けを検知するためのコイン検知部を有さないことを特徴とする請求項１から３いずれか記載の遊技機。
【発明の詳細な説明】
【０００１】
【発明の属する技術分野】
本発明は遊技機に関するものである。
【０００２】
【従来の技術】
ゲームセンターやカジノに設置されているスロットマシンやビデオ・ポーカーなどの遊技機は、１回の遊技にかかる時間が非常に短く、また、一度の複数枚数のコイン等の遊技媒体が使用可能である。従って、遊技者は頻繁に当該遊技媒体を遊技機に投入する必要がある。
【０００３】
しかし、一遊技毎にそのような操作を繰り返すのでは、非常に面倒なものであり、また、遊技に対する神経の集中がその都度途切れてしまうので、遊技者にとっては望ましくないものである。
【０００４】
そのため、多くの遊技機においては、予め複数枚数の遊技媒体を投入可能にし、また、遊技結果に基づいて遊技者に払いだされるべき遊技媒体を、当該遊技機内部に貯留しておく、といった所謂クレジット機能を有している。
【０００５】
但し、投入し貯留させておくことのできる遊技媒体の枚数は無制限ではなく、ある一定枚数までとなるように制限されている。従って、当該一定枚数を越えた枚数の遊技媒体を投入した場合には、当該遊技媒体は遊技機内部に貯留されることなく直接払出し口から排出されることとなる。
【０００６】
また、当該遊技機で使用することのできないコインやメダルなどが誤って投入されてしまった場合にも、それらは遊技機内部に貯留されることなく直接払出し口から排出されることとなる。
【０００７】
そのため、投入された遊技媒体等を、遊技機内に貯留させる、或いは直接排出させるといった振分けを行うための装置が多くの遊技機には設けられているのである（例えば、特許文献１参照）。
【０００８】
【特許文献１】
特開２００２−１７７４４５号公報
【０００９】
【発明が解決しようとする課題】
しかし、そのような振分け装置は、確実な振分けを行うために部品点数の多い複雑な構造を有していた。
【００１０】
そのため、組立工数が多く、部品にかかる経費、及び組立にかかる人件費が多く、コストダウンが困難なものであった。
【００１１】
にもかかわらず、当該コイン振分け装置は、その振分けを行う部分において、振り分けられる先への開口部が双方に開放されているために、何らかの弾みで飛び散ることにより、本来振り分けられる先とは別の方へ送られてしまうことがあった。
【００１２】
従って、このような事態が生じた場合であってもコイン等がどちらに振り分けられたかを把握するためには、最低限２個のコインセンサ等を設ける必要があり、この分のコストもコストアップの要因であった。
【００１３】
本発明は、以上の問題点に鑑みてなされたものであり、その目的は、従来のコイン振分け装置よりも低コストであるコイン振分け装置を有する遊技機を提供することにある。
【００１４】
【課題を解決するための手段】
本発明は、簡単な構造であり且つ確実に振分けが可能なコイン振分け装置を備える遊技機を提供する。
【００１５】
より具体的には、本発明は、以下のようなものを提供する。
【００１６】
（１）  筐体と、前記筐体に設けられたコイン投入口と、前記コイン投入口から投入されたコインを前記筐体内部に貯留するためのコイン貯留部と、コインを貯留させない状況において前記コイン投入口に投入されたコインを遊技者に対して返還するためのコイン払出し口と、前記コイン投入口から投入されたコインの落下先を、遊技機からの指示により前記コイン貯留部と前記コイン払出し口のどちらか一方へ振り分けるためのコイン振分け装置と、前記コイン投入口から前記コイン振分け装置へと該コインを誘導するための第１のコイン誘導路と、前記コイン振分け装置から前記コイン貯留部へと該コインを誘導するための第２のコイン誘導路と、前記コイン振分け装置から前記コイン払出し口へと該コインを誘導するための第３のコイン誘導路と、を備える遊技機であって、前記コイン振分け装置は、前記第１のコイン誘導路より落下してきたコインを前記第２のコイン誘導路へと誘導するための筒状部を有しており、該筒状部を、前記第２のコイン誘導路の開口部を閉鎖するように可動させる可動手段を有し、前記筒状部を、当該筒状部における外壁面に沿ってコインを前記第３のコイン誘導路へ誘導する位置に配設したことを特徴とする遊技機。
【００１７】
上述した（１）の発明によれば、コイン振分け装置を備える遊技機において「前記コイン振分け装置は、前記第１のコイン誘導路より落下してきたコインを前記第２のコイン誘導路へと誘導するための筒状部を有しており、該筒状部を、前記第２のコイン誘導路の開口部を閉鎖するように可動させる可動手段を有し、前記筒状部を、当該筒状部における外壁面に沿ってコインを前記第３のコイン誘導路へ誘導する位置に配設」するように構成することにより、コインをコイン貯留部へと送る場合には、コインはコイン振分け装置のダクトを通じてコイン貯留部へと送られるので、飛び散ってコイン払出し口へ送られるといった誤作動の防止が可能となる。
【００１８】
また、コインをコイン払出し口へと送る場合には、コイン貯留部側の誘導路が塞がれるので、飛び散ってコイン貯留部へ送られるといった誤作動の防止が可能となる。
【００１９】
（２）  前記コイン振分け装置は、その両側部に前記遊技機に装着するための持ち送り部を備えており、且つ、前記持ち送り部を回転軸として所定角度の範囲において回動自在となるように前記遊技機に備えられていることを特徴とする（１）記載の遊技機。
【００２０】
上述した（２）の発明によれば、（１）の遊技機において、「前記コイン振分け装置は、その両側部に前記遊技機に装着するための持ち送り部を備えており、且つ、前記持ち送り部を回転軸として所定角度の範囲において回動自在となるように前記遊技機に備えられている」ように構成することにより、当該コイン振分け装置と、持ち送り（ブラケット）部を支える例えばビスと、の２種のパーツのみで構成されているので、構成部品が極めて少なく、コスト削減が可能となる。
【００２１】
また、当該コイン振分け装置を構成する部品が少なく、故障が生じにくいので、メンテナンスを容易とすることが可能である。
【００２２】
（３）  前記回転軸は前記第１のコイン誘導路より落下するコインの落下位置の略真下に位置することを特徴とする（２）記載の遊技機。
【００２３】
上述した（３）の発明によれば、（２）の遊技機に対して「前記回転軸は前記第１のコイン誘導路より落下するコインの落下位置の略真下に位置する」ように構成することにより、コイン投入時においては、当該コインが当該コイン振分け装置の回転軸上に落下することになり、落下エネルギーによる当該コイン振分け装置の誤作動の防止が可能となる。
【００２４】
（４）  前記コイン振分け装置は、コインの振分けを検知するためのコイン検知部を有さないことを特徴とする請求項１から３いずれか記載の遊技機。
【００２５】
上述した（４）の発明によれば、（１）から（３）の遊技機において、「前記コイン振分け装置は、コインの振分けを検知するためのコイン検知部を有さない」ように構成することにより、コインの振分けに関する誤作動を防止可能であるので、該コインの振り分けを検知するためのセンサを不要とすることで、部品点数の削減が可能となり、コスト及び作業工程の低減が可能となる。
【００２６】
【発明の実施の形態】
以下に、本発明の実施の形態について図面に基づいて説明する。尚、本実施の形態は、本発明をスロットマシンに適用して説明するが、本発明はこれに限らず、ビデオ遊技機、メダル遊技機、カード遊技機等、各種の遊技機に採用することができる。
【００２７】
次に、スロットマシンの構成を説明する。
【００２８】
図１はスロットマシン１の正面図である。スロットマシン１は、キャビネット２の開口部に扉体３が開閉自在に設けられている。また、キャビネット２の上部にトップフレーム４が取り付けられている。トップフレーム４の正面には化粧パネル板４１が施されている。
【００２９】
遊技情報を表示する表示装置２１はキャビネット２内に設置される。表示装置２１の表示を視認可能とするために、扉体３の上部には窓が形成され、表示装置２１の表示を視認可能とするため、あるいは表示装置２１を保護するための透明板が前記窓に取り付けられている。そして、前記窓の両翼には、遊技状態に応じて発生される効果音あるいは効果音楽を聴覚容易とするための透過孔が形成されている。
【００３０】
扉体３の正面中央部には突出する形で操作部５が配置されている。操作部５の左側の傾斜面には、各種操作ボタンが配列されると共にコインを投入するコイン投入口５１が備えられている。操作部５の右側には、キャビネット２内に収納される紙幣識別機（ビルバリデータ）に紙幣を案内するための紙幣案内部５２が備えられている。
【００３１】
操作部５の下部には、扉体３と開閉自在に連結する枠体６が設けられている。枠体６には化粧パネル板６１が内包されている。枠体６の下部であって、扉体３の底部にはコインを収容するコイン受け皿３０が形成されている。
【００３２】
次に、コイン振分け装置に係わる構成を図２により説明する。図２は扉体３と枠体６の斜視分解組立図である。図２において、操作部５のコントロールパネル５０にはコイン投入口５１（図１参照）が取り付けられている。コイン投入口５１から投入されたコインを、コイン振分け装置５７に誘導するための第１のコイン誘導路５５Ａを有するコイン誘導体５５は、前面フレーム３０Ａの裏面に取り付けられる。
【００３３】
前面フレーム３０Ａの裏面には、保持ブラケット５６が取り付けられる。保持ブラケット５６は、コイン振分け装置５７を回転可能に保持する。また、保持ブラケット５６に検出装置５８が取り付けられる。検出装置５８は、コイン誘導路５５Ａに誘導されるコインの真偽を判定あるいはコインの通過を検出して、真偽判定信号あるいは通過検出信号を制御部に送出する。
【００３４】
保持ブラケット５６の左側面には、可動手段となる電磁ソレノイド５９が固定される。電磁ソレノイド５９が励磁されると、電磁ソレノイド５９に吸引されるロッド５９Ａに圧縮コイルばね５９Ｂが巻装される。
【００３５】
図３は、コイン振分け装置５７の斜視外観図である。図３に示されるように、コイン振分け装置５７は筒状部５７１と、筒状部５７１の両側壁の一部が鍔状に突出した持ち送り部となるブラケット５７２を形成する。筒状部５７１の両側壁には軸中心が同軸となる円柱突起５７Ａが相反する形で形成されている。また、ブラケット５７２の右側壁には貫通穴５７Ｂが形成されている。
【００３６】
図４は、コイン振分け装置５７近傍の斜視組立図である。図４に示されるように、コイン振分け装置５７は保持ブラケット５６に円柱突起５７Ａで両端支持されている。つまり、コイン振分け装置５７と保持ブラケット５６は回転結合している。一方、ロッド５９Ａの先端部には割ピンが圧入されており、前記割ピンは貫通穴５７Ｂに回転結合する。
【００３７】
図４は電磁ソレノイド５９が消磁状態である。電磁ソレノイド５９を励磁すると、ロッド５９Ａが吸引され（ロッド５９Ａが上昇し）、円柱突起５７Ａの軸中心を支点としてコイン振分け装置５７が第１の方向に回転する。電磁ソレノイド５９を消磁すると、圧縮コイルばね５９Ｂの付勢力でロッド５９Ａが下降し、円柱突起５７Ａの軸中心を支点としてコイン振分け装置５７が第１の方向と逆の第２の方向に回転し、図４の状態に戻る。
【００３８】
図５は扉体３を開いた状態図である。キャビネット２内部にはコインガイド２４が配置されている。コイン振分け装置５７で振り分けられたコイン（真のコイン）は、コインガイド２４に投入される。コインガイド２４に投入されたコインは、図示されないバケットに投入される。バケットに投入されたコインは図示されないホッパに貯留される。
【００３９】
次に、コイン振分け装置５７の動作と作用を説明する。図６はコイン振分け装置５７の第１の状態図である。図６は、電磁ソレノイド５９が消磁状態であり、クレジット機能が計数可能の状態である。言い換えれば、コイン投入口５１で投入されるコインであって、検出装置５８で検出された真のコインを所定のコイン枚数までホッパに誘導できる状態である。
【００４０】
図６において、コイン投入口５１から投入されたコインは、自然落下により第１のコイン誘導路５５Ａで誘導される。そして、コインは筒状部５７１のダクトで自然落下により誘導され、コインガイド２４の開口部２４Ａに投入される。筒状部５７１のダクトの横断面は概矩形状であり、筒状部５７１のダクト内壁は第２のコイン誘導路を形成する。すなわち、コインは図６の矢印Ａに誘導される。
【００４１】
図７はコイン振分け装置５７の第２の状態図である。図７は、電磁ソレノイド５９が励磁状態である。図７は、コイン投入口５１で投入されたコインが検出装置５８で偽のコインを検出したときに、制御部の指令により電磁ソレノイド５９を励磁した状態である。また、コイン投入口５１で投入されたコインが所定枚数以上になったことを制御部が計数し、所定枚数を越えてコイン投入口５１で投入されたコインをコイン受け皿３０に払い出させる状態である。
【００４２】
図６において、コイン投入口５１から投入されたコインは、自然落下により第１のコイン誘導路５５Ａで誘導される。図６は、前記第２のコイン誘導路の開口部を閉鎖する状態に筒状部５７１は変位している。
【００４３】
筒状部５７１のブラケット５７２側の外壁と、ブラケット５７２の対向する内壁と、ブラケット５７２側の外壁に対向する保持ブラケット５６の内壁は前記第３のコイン誘導路を形成している。第３のコイン誘導路で自然落下により誘導されたコインは、コインガイド３１の開口部に投入される。そして、コインガイド３１は自然落下によりコインをコイン受け皿３０に誘導する。すなわち、コインは図７の矢印Ｂに誘導される。
【００４４】
また、図６においては、第１のコイン誘導路５５Ａの出口と第２のコイン誘導路の入口が一致したとき、コイン振分け装置５７は停止状態となる。一方、図７においては、第１のコイン誘導路５５Ａの出口と第３のコイン誘導路の入口が一致したときコイン振分け装置５７は停止状態となる。このように、コイン振分け装置５７は、円柱突起５７Ａを回転軸として所定角度の範囲において回動自在となる。このことは、電磁ソレノイド５９のロッド５９Ａのストローク範囲内において、コイン振分け装置５７は回動自在となると言い換えてもよい。
【００４５】
更に、図６または図７に示されるように、コイン振分け装置５７の回転軸は第１のコイン誘導路５５Ａより落下するコインの落下位置の略真下に位置している。このように構成することにより、コインの落下エネルギー、すなわち、コイン振分け装置５７の内外壁に作用するコインの衝突力は回転軸に概ね集中し、コイン振分け装置５７を停止状態からコインの衝突による変位を弱めるのである。つまるところ、コイン振分け装置の誤作動の防止が可能となる。
【００４６】
また、コイン振分け装置５７を軽量硬質合成樹脂材で一体成型すれば、コイン振分け装置５７の慣性力を軽減でき、図６と図７の状態変化に要する時間を短縮できる。すなわち、状態変化に要する待ち時間が少なくなると言う作用も生まれる。更には、コイン振分け装置５７を一体成型することにより、構成部品が極めて少なく、コスト削減が可能となる。また、コイン振分け装置５７を構成する部品が少なく、故障が生じにくいので、メンテナンスを容易とすることが可能である。
【００４７】
また、図６においては、第２のコイン誘導路の始端開口部は、第１のコイン誘導路５５Ａからのコインを誘導可能に開口している。また、コインガイド２４の開口部２４Ａは第２のコイン誘導路からのコインを誘導可能に開口している。同様に、図７においては、第３のコイン誘導路の始端開口部は、第１のコイン誘導路５５Ａからのコインを誘導可能に開口している。また、コインガイド３１の開口部は第３のコイン誘導路からのコインを誘導可能に開口している。以上のとおりになっているので、コインが飛散する可能性が無く、コイン振分け装置５７によるコインの振り分けが確実となった。したがって、従来のようにコインの振り分け先を検出するセンサが不要となった。
【００４８】
【発明の効果】
本発明によれば、コイン振分け装置を備える遊技機において「前記コイン振分け装置は、前記第１のコイン誘導路より落下してきたコインを前記第２のコイン誘導路へと誘導するための筒状部を有しており、該筒状部を、前記第２のコイン誘導路の開口部を閉鎖するように可動させる可動手段を有し、前記筒状部を、当該筒状部における外壁面に沿ってコインを前記第３のコイン誘導路へ誘導する位置に配設」するように構成することにより、コインをコイン貯留部へと送る場合には、コインは振分け装置のダクトを通じてコイン貯留部へと送られるので、飛び散ってコイン払出し口へ送られるといった誤作動の防止が可能となる。
【００４９】
また、本発明によれば、前述の遊技機において、「前記コイン振分け装置は、その両側部に前記遊技機に装着するための持ち送り部を備えており、且つ、前記持ち送り部を回転軸として所定角度の範囲において回動自在となるように前記遊技機に備えられている」ように構成することにより、当該振分け装置と、持ち送り（ブラケット）部を支える例えばビスと、の２種のパーツのみで構成されているので、構成部品が極めて少なく、コスト削減が可能となる。
【００５０】
更に、本発明によれば、前述の遊技機において、「前記回転軸は前記第１のコイン誘導路より落下するコインの落下位置の略真下に位置する」ように構成することにより、コイン投入時においては、当該コインが当該振分け装置の回転軸上に落下することになり、落下エネルギーによる当該振分け装置の誤作動の防止が可能となる。
【００５１】
また、本発明によれば、以上の遊技機において、「前記コイン振分け装置は、コインの振分けを検知するためのコイン検知部を有さない」ように構成することにより、コインの振分けに関する誤作動を防止可能であるので、該コインの振り分けを検知するためのセンサを不要とすることで、部品点数の削減が可能となり、コスト及び作業工程の低減が可能となる。
【図面の簡単な説明】
【図１】本発明におけるスロットマシンの正面図である。
【図２】本発明におけるコイン振分け装置に係わる構成図である。
【図３】本発明におけるコイン振分け装置の斜視外観図である。
【図４】本発明におけるコイン振分け装置近傍の斜視組立図である。
【図５】本発明における扉体を開いた状態図である。
【図６】本発明におけるコイン振分け装置の第１の状態図である。
【図７】本発明におけるコイン振分け装置の第２の状態図である。
【符号の説明】
１  スロットマシン
２  キャビネット
３  扉体
４  トップフレーム
５  操作部
６  枠体
２１  表示装置
２４  コインガイド
２４Ａ  開口部
３０  コイン受け皿
３０Ａ  前面フレーム
３１  コインガイド
４１  化粧パネル板
５０  コントロールパネル
５１  コイン投入口
５２  紙幣案内部
５５  コイン誘導体
５５Ａ  第１のコイン誘導路
５６  保持ブラケット
５７  コイン振分け装置
５７Ａ  円柱突起
５７Ｂ  貫通穴
５８  検出装置
５９  電磁ソレノイド
５９Ａ  ロッド
６１  化粧パネル板
５７１  筒状部
５７２  ブラケット
【図１】
2004147882.tif 000003
【図２】
2004147882.tif 000004
【図３】
2004147882.tif 000005
【図４】
2004147882.tif 000006
【図５】
2004147882.tif 000007
【図６】
2004147882.tif 000008
【図７】
2004147882.tif 000009